(57)【要約】      （修正有）【課題】ナイフ及び鋏に用いる吸着装置により任意の平面に吸着する吸着式刃物研ぎ器構造、特に横研ぎプレートが片面研ぎを、また縦研ぎプレートが両面研ぎを可能とする多機能刃物研ぎ器構造を提供する。【解決手段】刃物研ぎ器本体１０は、一端に吸着装置１１が設けられると共に、もう一端に研ぎ部１２が形成され、研ぎ部には、横研ぎ溝１２２が設けられ、また２枚の縦研ぎプレート１３が設けられ；研ぎ組立２０は、横研ぎ溝に設けられ、且つ横研ぎプレート２１と、位置制限部材２２と、押さえプレート２３とを含み、上記横研ぎプレートは、横研ぎ溝の外側に向けて延びる研ぎ面２１１を有し、また上記押さえプレート２３は、研ぎ面２１１に向けて延びる当て部材２３１を有し；蓋体３０は、刃物研ぎ器本体１０の研ぎ部１２に係止され、蓋体３０が上記研ぎ組立２０と縦研ぎプレート１３とを挟んで固定する吸着式刃物研ぎ器構造である。【選択図】図２
0003175939.tif 000002
【実用新案登録請求の範囲】
【請求項１】
刃物研ぎ器本体と、研ぎ組立と、蓋体とを含む吸着式刃物研ぎ器構造であって、
該刃物研ぎ器本体は、一端に吸着装置が設けられると共に、もう一端に研ぎ部が形成され、また、該研ぎ部には、縦研ぎ溝と横研ぎ溝とが設けられ、該縦研ぎ溝には、２枚の縦研ぎプレートが交差して設けられ、
該研ぎ組立は、横研ぎ溝に設けられ、且つ横研ぎプレートと、位置制限部材と、押さえプレートとを含み、該横研ぎプレートは、位置制限部材が嵌め込まれることにより、横研ぎ溝に固定され、且つ横研ぎプレートは、横研ぎ溝の外側に向けて延びる研ぎ面を有し、また、該押さえプレートは、横研ぎ溝を覆うように設けられ、且つ研ぎ面に向けて延びる当て部材を有し、
該蓋体は、刃物研ぎ器本体の研ぎ部に係止され、蓋体が該研ぎ組立と縦研ぎプレートとを挟んで固定し、また、該蓋体には、上に向いて縦研ぎプレートを貫通する貫通孔が設けられ、
吸着装置を用いて刃物研ぎ器本体を固定することが可能であり、且つ縦研ぎプレートが両面研ぎを、また横研ぎプレートが片面研ぎを提供することを特徴とする吸着式刃物研ぎ器構造。
【請求項２】
該吸着装置は、吸盤と、連動棒と、弾性部材と、操作レバーとを含み、該連動棒は、刃物研ぎ器本体を通り、両端にそれぞれ吸盤と操作レバーとが接続され、また、弾性部材は、吸盤と刃物研ぎ器本体との間に隣接して設けられ、操作レバーにより刃物研ぎ器本体で該連動棒を引っ張ることにより、吸盤が刃物研ぎ器本体の方向に向けて押し込まれ、平面に吸着することを特徴とする請求項１に記載の吸着式刃物研ぎ器構造。
【請求項３】
該研ぎ組立の押さえプレートは、金属材料からなり、該押さえプレートの当て部材は、鋏の研がない側が当てる箇所になり、鋏の研ぐ位置が制御され、また蓋体の摩耗が解消されることを特徴とする請求項１に記載の吸着式刃物研ぎ器構造。
【請求項４】
該研ぎ部の縦研ぎ溝は、吸着装置に近い側に設けられ、該横研ぎ溝は、吸着装置から離れる側に設けられると共に、該研ぎ部の横研ぎ溝には、斜面切り込みが形成され、該横研ぎプレートの研ぎ面と押さえプレートの当て部材とが該斜面切り込みで露出することを特徴とする請求項１に記載の吸着式刃物研ぎ器構造。
【請求項５】
該横研ぎプレートは、傾斜状態で横研ぎ溝に設けられることを特徴とする請求項１に記載の吸着式刃物研ぎ器構造。
【考案の詳細な説明】
【技術分野】
【０００１】
本考案は、刃物研ぎ器構造に関し、特にナイフ及び鋏の両方に適用可能な吸着式刃物研ぎ器構造に関する。
【背景技術】
【０００２】
通常、ナイフ又は鋏は使用されると鈍くなる。ナイフ又は鋏の切れ味を戻すために、従来では、砥石により研ぐ。しかし、従来の砥石は、かたまりが重い上、収納するのが難しいという欠点がある。使用時にも、手持ちで砥石を固定しなければならないため、誤って手を怪我してしまう場合がある。また、ナイフ又は鋏を研ぐ時、使用者は、砥石に対するナイフ又は鋏の刃先の傾斜角度を自分で調整する必要があるものの、一般公衆は、どれほどの傾斜角度にすれば最良の研ぐ効果を奏することができるかを知らない。以上より、従来の砥石は、收納しにくい上、使用時においても研ぐ角度を制御しにくく怪我しやすいという欠点がある。
【０００３】
また、従来の砥石は、普通のナイフの単一刃部のみを研ぐことができる。ナイフを研ぐ過程において、ナイフをひっくり返して研ぐことを繰り返さなければならないため、使用上不便である。また、鋏を研ぎたい場合には、その鋏の二つの刃部が完全に開いた状態でも、砥石を避けることができないため、鋏を研ぐ時に死角が生まれる。以上に述べた全ての欠点は、本考案が改良したい技術問題点である。
【０００４】
本考案者は、上記を鑑み、長年の関連製品の製造開発及び設計経験を生かしながら、上記目標について詳しく設計し、慎重に検討した結果、実用性のある本実用新案を生み出したものである。
【考案の概要】
【考案が解決しようとする課題】
【０００５】
従来の技術問題を解決するため、吸着式刃物研ぎ器構造を提供する。
【課題を解決するための手段】
【０００６】
刃物研ぎ器本体は、一端に吸着装置が設けられると共に、もう一端に研ぎ部が形成され、また、上記吸着装置は、吸盤と、連動棒と、弾性部材と、操作レバーとを含み、連動棒は、刃物研ぎ器本体を通り、両端にそれぞれ吸盤と操作レバーとが接続され、また、弾性部材は、吸盤と刃物研ぎ器本体との間に隣接して設けられ、また、上記研ぎ部には、縦研ぎ溝と横研ぎ溝とが設けられ、縦研ぎ溝は、吸着装置に近い側に設けられ、縦研ぎ溝には、２枚の縦研ぎプレートが交差して設けられ、上記横研ぎ溝は、吸着装置から離れる側に設けられると共に、上記研ぎ部の横研ぎ溝には、斜面切り込みが形成され；研ぎ組立は、横研ぎ溝に設けられ、且つ横研ぎプレートと、位置制限部材と、押さえプレートとを含み、上記横研ぎプレートは、位置制限部材が嵌め込まれることにより、横研ぎ溝に固定され、且つ上記横研ぎプレートは、傾斜状態で横研ぎ溝に設けられ、且つ横研ぎプレートは、横研ぎ溝の外側に向けて延びる研ぎ面を有し、また、上記押さえプレートは、横研ぎ溝を覆うように設けられ、且つ研ぎ面に向けて延びる当て部材を有し；蓋体は、刃物研ぎ器本体の研ぎ部に係止され、蓋体が上記研ぎ組立と縦研ぎプレートとを挟んで固定し、また、上記蓋体には、上に向いて縦研ぎプレートを貫通する貫通孔が設けられる。
【０００７】
本考案の主な目的は、以下のことにある。即ち、上記刃物研ぎ器本体は、一端に吸着装置が設けられると共に、もう一端の研ぎ部には縦研ぎプレートと横研ぎプレートとが設けられる。吸着装置を用いて刃物研ぎ器本体を素早く固定することが可能であり、且つ縦研ぎプレートがナイフの両面研ぎを、また横研ぎプレートが鋏の片面研ぎを提供することにより、刃物研ぎ器本体を効果的且つ迅速に固定することができ、また縦、横研ぎプレートの設計により研ぐ効果が大幅に向上され、その応用性が向上される。
【０００８】
本考案の次の目的は、以下のことにある。即ち、交差して設置される２枚の縦研ぎプレートにナイフを直接にセットすることができると共に、縦研ぎプレートの交差部分が刃先の形状と同じ夾角を形成するため、ナイフをそのまま垂直状態で繰り返して研ぐことができる。これにより、両面研ぎの使用効果を奏することができる。また、上記横研ぎプレートは、傾斜状態で横研ぎ溝に設けられ、また押さえプレートの当て部材と研ぎ面との構造が刃先の形状と同じ夾角を形成するため、鋏をそのまま水平状態で繰り返して研ぐことができる。これにより、鋏の片面研ぎの使用効果を奏することができ、使用上の利便性が向上される。
【０００９】
本考案のもう１つの目的は、以下のことにある。即ち、上記横研ぎプレートの研ぎ面と押さえプレートの当て部材とは、共に刃物研ぎ器本体の斜面切り込みに設置されるため、鋏の研ぎ死角に対して効果的に研ぐことができ、鋏が研ぎにくい欠点を克服することができる。
【図面の簡単な説明】
【００１０】
【図１】図１は、本考案の刃物研ぎ器を示す立体図である。
【図２】図２は、本考案の刃物研ぎ器を示す立体分解図である。
【図３】図３は、本考案の刃物研ぎ器を示す側面断面図である。
【図４】図４は、本考案の刃物研ぎ器の研ぎ組立を示す断面図である。
【図５】図５は、本考案の刃物研ぎ器でナイフを研ぐ状態を示す概略図である。
【図６】図６は、本考案の刃物研ぎ器で鋏を研ぐ状態を示す概略図である。
【考案を実施するための形態】
【００１１】
以下、本考案の目的、特徴及び効果をより理解、認識してもらうため、図面を参照しながら、詳しく説明する。
【００１２】
まず、図１、図２及び図３を参照されたい。吸着式刃物研ぎ器構造は、刃物研ぎ器本体１０と、研ぎ組立２０と、蓋体３０とを有する。刃物研ぎ器本体１０は、一端に吸着装置１１が設けられると共に、もう一端に研ぎ部１２が形成される。上記吸着装置１１は、吸盤１１１と、連動棒１１２と、弾性部材１１３と、操作レバー１１４とを含む。連動棒１１２は、刃物研ぎ器本体１０を通り、両端にそれぞれ吸盤１１１と操作レバー１１４とが接続される。また、弾性部材１１３は、吸盤１１１と刃物研ぎ器本体１０との間に隣接して設けられる。操作レバー１１４により刃物研ぎ器本体１０で上記連動棒１１２を引っ張ることにより、吸盤１１１が刃物研ぎ器本体１０の方向に向けて押し込まれるため、平面に吸着する効果を奏する。上記研ぎ部１２には、縦研ぎ溝１２１と横研ぎ溝１２２とが設けられる。縦研ぎ溝１２１は、吸着装置１１に近い側に設けられると共に、縦研ぎ溝１２１には、２枚の縦研ぎプレート１３が交差して設けられる。また、上記横研ぎ溝１２２は、吸着装置１１から離れる側に設けられると共に、上記研ぎ部１２の横研ぎ溝１２２には、斜面切り込み１２３が形成される。研ぎ組立２０は、横研ぎ溝１２２に設けられ、且つ横研ぎプレート２１と、位置制限部材２２と、押さえプレート２３とを含む。上記横研ぎプレート２１は、位置制限部材２２が嵌め込まれることにより、横研ぎ溝１２２に固定される。上記横研ぎプレート２１は、傾斜状態で横研ぎ溝１２２に設けられ（図４に示すように）、且つ横研ぎ溝１２２の外側に向けて延びる研ぎ面２１１を有する。また、上記押さえプレート２３は、横研ぎ溝１２２を覆うように設けられ、且つ研ぎ面２１１に向けて延びる当て部材２３１を有する。その中、上記横研ぎプレート２１の研ぎ面２１１と押さえプレート２３の当て部材２３１とが上記斜面切り込み１２３で露出する。他に、上記研ぎ組立２０の押さえプレート２３は、金属材料からなり、上記押さえプレート２３の当て部材２３１は、鋏の研がない側が当てる箇所になる。これにより、鋏の研ぐ位置が制御され、また蓋体３０の摩耗が解消される。蓋体３０は、刃物研ぎ器本体１０の研ぎ部１２に係止される。蓋体３０が上記研ぎ組立２０と縦研ぎプレート１３とを挟んで固定し、また、上記蓋体３０には、上に向いて縦研ぎプレート１３を貫通する貫通孔３１が設けられる。上述した構造により、吸着装置１１を用いて刃物研ぎ器本体１０を素早く固定することが可能になり、且つ縦研ぎプレート１３が両面（ナイフ）研ぎを、また横研ぎプレート２１が片面（鋏）研ぎを提供することにより、その応用性が向上される。
【００１３】
構造の組み合わせについては、図１〜図４を参照されたい。上記刃物研ぎ器本体１０の一端には、吸着装置１１が組み合わされる。上記吸着装置１１では、連動棒１１２が刃物研ぎ器本体１０を通り、連動棒１１２の一端には、弾性部材１１３が設けられ、吸盤１１１が固定される。また、連動棒１１２のもう一端には、操作レバー１１４が枢着される。さらに、上記刃物研ぎ器本体１０は、研ぎ部１２の縦研ぎ溝１２１に縦研ぎプレート１３が交差して挿入される。また、上記横研ぎ溝１２２には、研ぎ組立２０が設けられる。具体的に、まず横研ぎプレート２１の研ぎ面２１１が刃物研ぎ器本体１０の斜面切り込み１２３から突出するように研ぎ組立２０の横研ぎプレート２１を斜め向きで横研ぎ溝１２２に置き、次に位置制限部材２２を横研ぎ溝１２２に入れる。これで、横研ぎプレート２１が圧迫され位置が制限される。また、上記押さえプレート２３は、当て部材２３１が横研ぎプレート２１の研ぎ面２１１で突出して伸びるように、横研ぎ溝１２２を覆うように設けられる。即ち、研ぎ面２１１と当て部材２３１とで研ぐための空間ができる。さらに、縦研ぎプレート１３が上記貫通孔３１を通り抜けるように、蓋体３０を刃物研ぎ器本体１０の研ぎ部１２に係止することにより、研ぎ組立２０を固定する。
【００１４】
実際使用時の機能については、図２及び図３に示されたように、本考案の刃物研ぎ器本体１０は、吸着装置１１により、任意の平面に固定することができる。上記任意の平面は、机表面、壁表面、たんす表面又は冷蔵庫表面などであってよい。上記吸着装置１１は、吸盤１１１が任意の平面に押され、上記操作レバー１１４が回転されると、刃物研ぎ器本体１０に対して押すようになり、連動棒１１２を引っ張る効果を奏する。さらに、連動棒１１２に連れられ吸盤１１１が刃物研ぎ器本体１０側に向けて押し込まれることにより、真空吸引力が発生し、刃物研ぎ器本体１０を素早く固定する目的を達成する。また、上述した吸着装置１１により壁表面に吸着する機能を利用すれば、收納が便利になる効果を奏する。図５に示すように、ナイフＡを研ぐ場合、上記ナイフＡの刃先Ａ１を直接に刃物研ぎ器本体１０の２枚の縦研ぎプレート１３の間にセットし、縦研ぎプレート１３の交差部分が刃先Ａ１の形状と同じ夾角を形成するため、ナイフＡをそのまま垂直状態で繰り返して研ぐことができる。これにより、両面研ぎの使用効果を奏することができると共に、使用者は自分でナイフＡ及び縦研ぎプレート１３の研ぎ角度を調整する必要がない。また、図６に示すように、鋏Ｂを研ぐ場合、上記鋏Ｂの刃先Ｂ１の片面を上記横研ぎプレート２１に当てると共に、刃先Ｂ１のもう片面を上記押さえプレート２３の当て部材２３１に当てることにより、鋏Ｂの片面を研ぐ効果を奏することができる。また、上記横研ぎプレート２１は、傾斜状態で横研ぎ溝１２２に設けられ（図４を併せて参照）、また押さえプレート２３の当て部材２３１と研ぎ面２１１との構造が刃先Ｂ１の形状と同じ夾角を形成するため、鋏Ｂをそのまま水平状態で繰り返して研ぐことができる。また、上記横研ぎプレート２１の研ぎ面２１１と押さえプレート２３の当て部材２３１とは、共に刃物研ぎ器本体１０の斜面切り込み１２３に設置されるため、鋏Ｂの研ぎ死角に対して効果的に研ぐことができ、鋏Ｂが研ぎにくい欠点を克服することができる。
【００１５】
上述した具体の実施例の構造により、以下の効果を奏することができる。
（一）上記刃物研ぎ器本体１０は、一端に吸着装置１１が設けられると共に、もう一端の研ぎ部１２には縦研ぎプレート１３と横研ぎプレート２１とが設けられる。吸着装置１１を用いて刃物研ぎ器本体１０を素早く固定することが可能であり、且つ縦研ぎプレート１３が両面（ナイフ）研ぎを、また横研ぎプレート２１が片面（鋏）研ぎを提供することにより、刃物研ぎ器本体１０を効果的且つ迅速に固定することができ、また縦、横研ぎプレートの設計により研ぐ効果が大幅に向上され、その応用性が向上される。
（二）交差して設置される２枚の縦研ぎプレート１３にナイフＡを直接にセットすることができると共に、縦研ぎプレート１３の交差部分が刃先Ａ１の形状と同じ夾角を形成するため、ナイフＡをそのまま垂直状態で繰り返して研ぐことができる。これにより、両面研ぎの使用効果を奏することができる。また、上記横研ぎプレート２１は、傾斜状態で横研ぎ溝１２２に設けられ（図４を併せて参照）、また押さえプレート２３の当て部材２３１と研ぎ面２１１との構造が刃先Ｂ１の形状と同じ夾角を形成するため、鋏Ｂをそのまま水平状態で繰り返して研ぐことができる。これにより、鋏Ｂの片面研ぎの使用効果を奏することができ、使用上の利便性が向上される。
（三）上記横研ぎプレート２１の研ぎ面２１１及び押さえプレート２３の当て部材２３１は、共に刃物研ぎ器本体１０の斜面切り込み１２３に設置されるため、鋏Ｂの研ぎ死角に対して効果的に研ぐことができ、鋏Ｂが研ぎにくい欠点を克服することができる。
【００１６】
上記は、本考案の好適な実施例に過ぎず、本考案の範囲を制限するものではない。本考案の実用新案登録請求の範囲に応じて行った様々な変更及び修正は、すべて本実用新案登録の範囲に含まれる。
【符号の説明】
【００１７】
１０  刃物研ぎ器本体
１１  吸着装置
１１１  吸盤
１１２  連動棒
１１３  弾性部材
１１４  操作レバー
１２  研ぎ部
１２１  縦研ぎ溝
１２２  横研ぎ溝
１２３  斜面切り込み
１３  縦研ぎプレート
２０  研ぎ組立
２１  横研ぎプレート
２１１  研ぎ面
２２  位置制限部材
２３  押さえプレート
２３１  当て部材
３０  蓋体
３１  貫通孔
Ａ  ナイフ
Ａ１  刃先
Ｂ  鋏
Ｂ１  刃先
【図１】
0003175939.tif 000003
【図２】
0003175939.tif 000004
【図３】
0003175939.tif 000005
【図４】
0003175939.tif 000006
【図５】
0003175939.tif 000007
【図６】
0003175939.tif 000008